(57)【特許請求の範囲】
【請求項１】
カッタの刃先を脆性材料製のワークであるディスプレイ用ガラス基板の表面に押し付けながら、カッタとディスプレイ用ガラス基板を相対移動させることによりディスプレイ用ガラス基板の表面にスクライブ線を刻設するスクライブ装置において、
長手方向中間に設けた支点を中心に揺動可能に支持され、前記支点から離れた長手方向一端側に前記カッタを備えたアームと、
該アームの前記支点を挟んで前記一端側と反対の長手方向他端側に力を加える点を設定し、その点に前記アームを揺動させる方向の力を加えることで、前記アームを介して前記カッタに前記ディスプレイ用ガラス基板の表面に対する押し付け力を付与する加圧機構としての空圧シリンダと、を備え、
前記支点から前記カッタまでの距離をＡ、前記支点から前記空圧シリンダにより力を加える点までの距離をＢとした場合、
Ａ＜Ｂ
に設定され、Ａ：Ｂの比率に応じて前記押し付け力を調整可能に設けられていることを特徴とするスクライブ装置。
【請求項２】
請求項１に記載のスクライブ装置であって、
前記ディスプレイ用ガラス基板に対して平板上でスクライブ線を刻設することを特徴とするスクライブ装置。
【請求項３】
請求項２に記載のスクライブ装置であって、
前記平板が定盤であることを特徴とするスクライブ装置。
【請求項４】
請求項１〜３のいずれか１項に記載のスクライブ装置であって、
前記支点は、前記アームを上下方向に揺動可能に支持する軸であることを特徴とするスクライブ装置。
【請求項５】
請求項１〜４のいずれか１項に記載のスクライブ装置であって、
前記アームが自身の長手方向を略水平方向に向けて上下方向揺動可能に設けられており、
前記アームの前記支点を挟んだ両側のうち、前記カッタを備えた長手方向一端側の重量をＷＡ、前記力を加える点が設定された長手方向他端側の重量をＷＢとした場合、前記長手方向一端側の重量ＷＡによる前記支点の周りのモーメントＭＡと前記長手方向他端側の重量ＷＢによる前記支点の周りのモーメントＭＢとの間に、
ＭＡ≦ＭＢ
の関係が成り立っていることを特徴とするスクライブ装置。
【請求項６】
請求項１〜５のいずれか１項に記載のスクライブ装置であって、
前記加圧機構として空圧シリンダを設け、該空圧シリンダのロッドの先端を、前記アームの長手方向他端側に設定した力を加える点に連結したことを特徴とするスクライブ装置。
【請求項７】
請求項６に記載のスクライブ装置であって、
前記空圧シリンダを回動自在に支持すると共に、該空圧シリンダのロッドの先端を、前記アームの長手方向他端側に設定した力を加える点に回動自在に連結したことを特徴とするスクライブ装置。
【請求項８】
請求項６または７に記載のスクライブ装置であって、
前記アームが自身の長手方向を略水平方向に向けて上下方向揺動可能に設けられ、前記カッタがアームの長手方向一端側に下向きに設けられ、前記空圧シリンダがロッドを下向きにして前記アームの長手方向他端側の上側に設けられていることを特徴とするスクライブ装置。
【請求項９】
請求項１〜８のいずれか１項に記載のスクライブ装置であって、
前記ＡとＢの比率が、
Ａ：Ｂ＝１．０：１．１〜５．０
であることを特徴とするスクライブ装置。
【請求項１０】
請求項１〜９のいずれか１項に記載のスクライブ装置であって、
前記アームの長さが５０ｍｍ〜５００ｍｍの範囲に設定されていることを特徴とするスクライブ装置。
【発明の詳細な説明】
【技術分野】
【０００１】
本発明は、板ガラス等の脆性材料製の薄板ワークの表面にスクライブ線（切筋線）を刻設するスクライブ装置に係り、特に液晶ディスプレイやプラズマディスプレイあるいは有機ＥＬディスプレイなどのフラットパネルディスプレイで使用するガラス基板の切断の際に用いるスクライブ装置に関するものである。
【背景技術】
【０００２】
上記したフラットパネルディスプレイで使用するガラス基板の製作や、建築用の窓ガラスの製作には、一枚の素ガラス板から複数枚の所望のサイズのガラスパネル基板や窓ガラス用ガラス板が切り出される工程がかねてから採用されている。また近年では、薄型テレビやパソコンディスプレイにおいて、大きいサイズの画面のものが主流となってきている。また建築用のガラスにおいては、多くの太陽光の取り入れを望むユーザーが増加しており、窓ガラス用として求められるガラス基板のサイズもますます大きくなっている。そして、これに伴ってガラスメーカー等で成形および加工される素ガラス板や切り出されるガラス基板製品も、大板化が進んでいる。
【０００３】
上記したガラス基板製品のうち、特にフラットパネルディスプレイのガラスパネルの製造は、製造コストの低減および生効率の向上を目的として、素ガラス板から多数のガラスパネルを切り出すマルチ方式が採用されている。このためガラスメーカーでは、切り出されるガラスパネルの大型化に対応し素ガラス板をできるだけ大きくし、大型のガラスパネル用のガラス基板であっても上記マルチ方式での生産を試みている。フラットパネルディスプレイ用のガラス基板は、製品化された当初はサイズが３００×４００ｍｍ程度であったが、その後、３７０×４７０ｍｍ、５５０×６５０ｍｍ、６８０×６８０ｍｍ、１０００×１２００ｍｍ、１５００×１８５０ｍｍ、２１００×２４００ｍｍ、２２００×２５００ｍｍ、２４００×２８００ｍｍ、２８５０×３０５０ｍｍ（厚み約０．７ｍｍ）のガラス基板が製作されるようになり、今後もますます大板化が進む傾向にある。
【０００４】
素ガラス板から所望のサイズのガラス板を切り出すには、先ず、ガラス板の一方の面にスクライブカッタ（スクライブ装置）と呼ばれるガラス板切り出し用のカッタを用いてスクライブ線と呼ばれる切込みを刻設した後、このスクライブ線を分割基準として切断が行なわれる。この折割は、ガラス板のスクライブ線が刻設された面の裏側に支持部材を配設し、そのガラス板の支持部材からの張り出し側部分に、スクライブ線が刻設された面と反対面方向に押圧力を作用させることにより、スクライブ線を境界としてガラス板を分断させるものである。
【０００５】
ところで、ガラス板製品については、スクライブ線の刻設、折割、洗浄、加工、搬送等の各工程で発生する切粉と呼ばれる１００μｍ以下の微細なガラス片が問題となっている。切粉がガラス板表面に付着すると、洗浄工程を経由しても容易に除去できないことから、後の工程でガラス板表面でこすれるなどして傷を発生させてしまう。
【０００６】
特に液晶ディスプレイの製造工程では、ガラス板の表面にＴＦＴと呼ばれる薄膜トランジスタ回路を形成する。このため、ガラス板表面に切粉が付着したままＴＦＴ形成工程に進んでしまうと、切粉がＴＦＴ回路を断線およびショートするなどして液晶ディスプレイ不良の原因となってしまい、莫大な損害を発生してしまう場合がある。そして、この切粉は上記した切断時に発生し、ガラス表面に付着することが最も多く、切粉の発生しない切断装置および切断方法求められている。
【０００７】
特に上記したフラットパネルディスプレイに用いられるガラス基板は、表面に傷が存在した場合、表示機器に用いられることができず、不良品として廃棄処分される。この際、サイズの大きい大型のガラス基板になるほど、生産に要する労力やコストが増大するため、傷による不良品の発生が製品の歩留まりに多大な影響を及ぼす。このため、ガラス基板の切断面は可能な限りクリーンな面とし、傷の発生原因となる切粉の発生を極力少なくすることが求められている。
【０００８】
一般的に「ガラス板切断」とは、ガラス板表面に上記スクライブ線を入れ、後の工程で、スクライブ線の両側に押圧を加えて折割り、ガラス板を２枚以上に分断する作業を意味する。ここで、「スクライブ線」とは、ガラス板の肉厚の７％〜４０％程度の深さにガラス切断用の直線状に延びる溝である。
【０００９】
ガラス板を切断する場合、スクライブ線を深く形成するほど折割による破断が容易になる。しかしながら、このとき、スクライブ線から左右方向に延びるひび割れである水平クラックも同時に発生し、この水平クラックによってスクライブ線の両側に欠けまたは剥離等が発生すると切粉も発生しやすくなる。これとは逆に、上記カッタのガラス板表面への刃先荷重を小さくすれば、水平クラックの発生は少なくなるが、垂直クラックの深さが浅くなってしまいガラス板の折割が良好に行えず、この場合も切粉の発生が増加するばかりか、分断線が直線状にならない場合もある。
【００１０】
従って、ガラス板切断時に切粉発生を抑制するには、スクライブ線の刻設において、水平クラック幅をできるだけ小さくし、折割に必要な垂直クラック深さを確保することが必要になる。
【００１１】
従来、この種のスクライブ線を刻設するためのスクライブ装置としては、特許文献１〜３に記載されたものが知られている。これら特許文献１〜３に記載されたスクライブ装置は、いずれも、ホイールカッタの直上に加圧手段（空圧シリンダ）を配置し、加圧手段の発生する力をダイレクトにカッタに伝えて、カッタ刃先がガラス板表面に接触する際の荷重を調節している。
【００１２】
【特許文献１】特開平６−３４５４７１号公報
【特許文献２】特開２００５−２２５７３０号公報
【特許文献３】特開２００７−２２３８５５号公報
【発明の開示】
【発明が解決しようとする課題】
【００１３】
しかしながら、従来のスクライブ装置では、折割に必要な垂直クラックを深く刻設しようとすると水平クラック幅が増大し、切粉を発生させてしまうという問題があった。この点について分析してみたところ、従来のスクライブ装置では、カッタの刃先荷重を微妙に調節することが極めて困難であり、刃先荷重が最適範囲から外れやすいことが、結果的に切粉の発生に繋がっていることが分かった。また、カッタやカッタを支持する部材などの自重が刃先荷重として加わることになるので、最適な刃先荷重の設定自体が難しいという問題もあった。
【００１４】
本発明は、上記事情を考慮し、カッタ等の自重の影響を軽減しながら、カッタの刃先荷重の微妙な調整が容易にでき、適正な刃先荷重の設定によって、切粉の発生の少ないスクライブ線の形成が可能なスクライブ装置を提供することを目的とする。
【課題を解決するための手段】
【００１５】
請求項１の発明のスクライブ装置は、カッタの刃先を脆性材料製のワークであるディスプレイ用ガラス基板の表面に押し付けながら、カッタとディスプレイ用ガラス基板を相対移動させることによりディスプレイ用ガラス基板の表面にスクライブ線を刻設するスクライブ装置において、長手方向中間に設けた支点を中心に揺動可能に支持され、前記支点から離れた長手方向一端側に前記カッタを備えたアームと、該アームの前記支点を挟んで前記一端側と反対の長手方向他端側に力を加える点を設定し、その点に前記アームを揺動させる方向の力を加えることで、前記アームを介して前記カッタに前記ディスプレイ用ガラス基板の表面に対する押し付け力を付与する加圧機構としての空圧シリンダと、を備え、前記支点から前記カッタまでの距離をＡ、前記支点から前記加圧機構により力を加える点までの距離をＢとした場合、
Ａ＜Ｂ
に設定され、Ａ：Ｂの比率に応じて前記押し付け力を調整可能に設けられていることを特徴としている。
請求項２の発明は、請求項１に記載のスクライブ装置であって、前記ディスプレイ用ガラス基板に対して平板上でスクライブ線を刻設することを特徴としている。
請求項３の発明は、請求項２に記載のスクライブ装置であって、前記平板が定盤であることを特徴としている。
請求項４の発明は、請求項１〜３のいずれか１項に記載のスクライブ装置であって、前記支点は、前記アームを上下方向に揺動可能に支持する軸であることを特徴としている。
【００１６】
請求項５の発明は、請求項１〜４のいずれか１項に記載のスクライブ装置であって、前記アームが自身の長手方向を略水平方向に向けて上下方向揺動可能に設けられており、前記アームの前記支点を挟んだ両側のうち、前記カッタを備えた長手方向一端側の重量をＷＡ、前記力を加える点が設定された長手方向他端側の重量をＷＢとした場合、前記長手方向一端側の重量ＷＡによる前記支点の周りのモーメントＭＡと前記長手方向他端側の重量ＷＢによる前記支点の周りのモーメントＭＢとの間に、
ＭＡ≦ＭＢ
の関係が成り立っていることを特徴としている。
【００１７】
請求項６の発明は、請求項１〜５のいずれか１項に記載のスクライブ装置であって、前記加圧機構として空圧シリンダを設け、該空圧シリンダのロッドの先端を、前記アームの長手方向他端側に設定した力を加える点に連結したことを特徴としている。
【００１８】
請求項７の発明は、請求項６に記載のスクライブ装置であって、前記空圧シリンダを回動自在に支持すると共に、該空圧シリンダのロッドの先端を、前記アームの長手方向他端側に設定した力を加える点に回動自在に連結したことを特徴としている。
【００１９】
請求項８の発明は、請求項６または７に記載のスクライブ装置であって、前記アームが自身の長手方向を略水平方向に向けて上下方向揺動可能に設けられ、前記カッタがアームの長手方向一端側に下向きに設けられ、前記空圧シリンダがロッドを下向きにして前記アームの長手方向他端側の上側に設けられていることを特徴としている。
【００２０】
請求項９の発明は、請求項１〜８のいずれか１項に記載のスクライブ装置であって、前記ＡとＢの比率が、
Ａ：Ｂ＝１．０：１．１〜５．０
であることを特徴としている。
【００２１】
請求項１０の発明は、請求項１〜９のいずれか１項に記載のスクライブ装置であって、前記アームの長さが５０ｍｍ〜５００ｍｍの範囲に設定されていることを特徴としている。
【発明の効果】
【００２３】
請求項１の発明によれば、長手方向中間に設けた支点を中心にアームを揺動自在に支持し、そのアームの一端側にカッタを備え、アームの他端側に加圧機構による力を加えるようにしているので、カッタを備えた状態でアームのバランスをとることにより、カッタの刃先にかかる自重の影響を軽減することができる。また、支点の両側に力点（加圧機構により力を加える点）と作用点（カッタ）を設けているので、支点から作用点（カッタ）ま
での距離Ａと支点から力点までの距離Ｂとの比率に応じて、加圧機構の入力値とカッタの押し付け力の関係を調整することができる。また、Ａ＜Ｂに設定してあるので、梃子の原理により、加圧機構側に小さな荷重変化を与えることで、カッタ側に大きな荷重変化を与えることができる。また、加圧機構側に大きな変位を与えることで、カッタ側に小さな変位を与えることができる。つまり、Ａ≧Ｂの場合よりも、カッタの荷重調節の分解能を細かく設定することができるようになり、カッタの荷重（ワーク表面に対する押し付け力）を容易に微調整することが可能になる。また、カッタの自重による影響を軽減できることから、カッタがワーク表面の微妙な凹凸を乗り越えるときの応答性が高まり、その点でもカッタの荷重の精度が上がる。その結果、ワークに対する適正なカッタ荷重の調整代が広がり、スクライブ線を刻設するための最適な調整が簡単にできるようになって、切粉の発生の少ない安定したスクライブ線の刻設が可能となる。そのため、切粉のワーク表面への付着残留による不良品の発生並びに製品品質の低下を抑制することができる。特に本発明は、フラットパネルディスプレイ用のガラス板の切断工程に利用した場合に、切粉によるトラブルを大幅に低減することができる。
【００２４】
請求項５の発明によれば、略水平に配したアームの支点を挟んだ両側の重量による支点周りのモーメントＭＡ、ＭＢ（カッタ側がＭＡ、反カッタ側がＭＢ）を「ＭＡ≦ＭＢ」の関係に設定しているので、カッタの自重の影響を無くしながら、水平搬送するワークの上面に対して、スクライブ線を安定して形成することができる。
【００２５】
請求項６の発明によれば、加圧機構に空圧シリンダを用い、空気圧によってカッタの荷重を設定するようにしているので、ワーク表面の微妙な凹凸を乗り越える際の急激な荷重変化を吸収しながら、カッタ荷重を適正範囲に自動調整することができる。従って、切粉の発生の少ない安定したスクライブの刻設が可能となる。
【００２６】
請求項７の発明によれば、空圧シリンダを回動自在に支持すると共に、空圧シリンダのロッドの先端をアーム上の力を加える点に回動自在に連結したので、アームの揺動に対し無理なく空圧シリンダの姿勢を追従させることができ、空圧シリンダによるカッタ荷重の制御の精度向上に寄与することができる。
【００２７】
請求項８の発明によれば、アームを略水平に支持して上下方向に揺動自在とし、カッタをアームの長手方向の一端側に下向きに設け、空圧シリンダを、ロッドを下向きにしてアームの上側に設けたので、ガラス板をコンベア上で運搬する従来のガラス切断設備にそのまま搭載することができ、大きな設備更新を必要としない。
【００２８】
請求項９の発明によれば、アームによる梃子の原理を最も効果的に利用することができる。例えば、Ｂ／Ａが１．１より下回ると、梃子の原理による利点がほとんど得られなくなり、Ｂ／Ａが５．０を上回ると、アームのサイズが大きくなり、加圧機構のサイズが大型化してしまい、実用性が薄れてしまう。なお、好ましくは、Ａ：Ｂ＝１．０：１．５〜３．５であるのがよい。
【００２９】
請求項１０の発明によれば、実用的な範囲でスクライブ装置を容易に製作することができる。例えば、アームの長さが５０ｍｍを下回ると、カッタと加圧機構を組み合わせて構成するスクライブ装置が小型化し過ぎてしまい、製造や補修が困難になってしまう。また、アームの長さが５００ｍｍを上回ると、カッタと加圧機構を組み合わせて構成するスクライブ装置が大型化し過ぎてしまい、従来の設備に搭載することが困難になり、新たな装置を設置するなどのコストや労力が必要になってしまう。なお、アームのより最適な長さは１００ｍｍ〜３００ｍｍである。
【発明を実施するための最良の形態】
【００３１】
以下、本発明の実施形態を図面を参照して説明する。
図１は実施形態のスクライブ装置の側面図、図２はその要部の原理図、図３は図１のIII矢視図、図４は図１のIＶ矢視図である。
【００３２】
このスクライブ装置１０は、ガラス板切断設備の１ユニットとして装備されている。メインフレーム１には水平レール２を介して水平移動フレーム３が水平移動自在に装備され、水平移動フレーム３には垂直レール４を介して昇降フレーム５が矢印Ｙ５方向に昇降自在に装備され、昇降フレーム５に実施形態のスクライブ装置１０が取り付けられている。スクライブ装置１０は、定盤上に載ったガラス板Ｇに対して矢印Ｘ方向に相対的に走行することで、カッタ１５の刃先をガラス板Ｇ（脆性材料製のワーク）の表面に押し付けて、ガラス板Ｇの表面にスクライブ線を刻設する。
【００３３】
このスクライブ装置１０は、昇降フレーム５に固定された側面視Ｃ字形のベースフレーム１１と、ベースフレーム１１の下端位置に自身の長手方向中間に設けた支点１２（軸）を中心にして上下方向揺動可能に支持されたアーム１３と、アーム１３上の支点１２から離れた長手方向一端側１３Ａに備えられたホイールカッタ１５と、アーム１３上の支点１２を挟んで一端側１３Ａと反対の長手方向他端側１３Ｂに設けた連結ブラケット１６にロッド２１の先端が水平なピン２３を介して回動可能に連結された空圧シリンダ２０（加圧機構）と、を有している。
【００３４】
この場合、連結ブラケット１６が、空圧シリンダ２０がアーム１３に対して力を加える点であり、図２に示すように、空圧シリンダ２０はその点にアーム１３を揺動させる方向の力Ｐｓを加えることで、アーム１３を介してホイールカッタ１５にガラス板Ｇの表面に対する押し付け力Ｐｗを付与する。
【００３５】
カッタ１５は、カッタホルダ１４を介してアーム１３に取り付けられている。ベースフレーム１１の下端の前記支点１２から離れた位置には、アーム１３の一端側１３Ａより延長したストッパ片１３Ｃの上下に位置して、アーム１３が過度に揺動したときにストッパ片１３Ｃに当たることで、アーム１３のそれ以上の揺動を規制する食い込み調整用のネジ２５がブラケット２６を介して取り付けられている（図４参照）。
【００３６】
アーム１３は、自身の長手方向を略水平方向に向けて支点１２で支持されており、ホイールカッタ１５はアーム１３の長手方向一端側１３Ａの下側部分に下向きに設けられている。また、空圧シリンダ２０は、ロッド２１を下向きにしてアーム１３の長手方向他端側１３Ｂの上側に設けられており、図３に示すように、ベースフレーム１１に水平な軸１８を介して回動可能に支持されたブラケット１７上に取り付けられている。
【００３７】
そして、空圧シリンダ２０により、アーム１３の他端側１３Ｂを矢印Ｙ１方向に引き上げることにより、アーム１３を矢印Ｙ２方向に揺動させ、ホイールカッタ１５を矢印Ｙ３方向に変位させて、ガラス板Ｇの表面に押し付けるようになっている。
【００３８】
ここでは、アーム１３の前記支点１２を挟んだ両側のうち、ホイールカッタ１５を備えた長手方向一端側１３Ａの重量をＷＡ、前記力を加える点が設定された長手方向他端側１３Ｂの重量をＷＢとした場合、前記長手方向一端側１３Ａの重量ＷＡによる前記支点１２の周りのモーメントＭＡと前記長手方向他端側１３Ｂの重量ＷＢによる前記支点１２の周りのモーメントＭＢとの間に、
ＭＡ≦ＭＢ        …  （１）
の関係が成り立っている。
【００３９】
また、支点１２からホイールカッタ１５までの距離をＡ、支点１２から空圧シリンダ２０によりアーム１３に力を加える点（連結ブラケット１６）までの距離をＢとした場合、
Ａ＜Ｂ            …  （２）
となっている。特にＡ：Ｂ＝１．０：１．１〜５．０の範囲に設定されている。
【００４０】
このような構成になっていることにより、次の作用効果を得ることができる。
まず、長手方向の中間に設けた支点１２を中心にアーム１３を揺動自在に支持し、そのアーム１３の一端側１３Ａにホイールカッタ１５を備え、アーム１３の他端側に空圧シリンダ２０による力を加えるようにしており、更にホイールカッタ１５やカッタホルダ１４等を備えた状態で、支点１２の周りのアーム１３のモーメントを上記（１）式のように設定しているので、ホイールカッタ１５の刃先にかかる自重の影響を軽減することができる。
【００４１】
また、支点１２の両側に力点（空圧シリンダ２０により力を加える点）と作用点（ホイールカッタ１５）を設けているので、支点１２から作用点（ホイールカッタ１５）までの距離Ａと支点１２から力点（空圧シリンダ２０により力を加える点）までの距離Ｂとの比率に応じて、空圧シリンダ２０への入力値とホイールカッタ１５のガラス板Ｇへの押し付け力Ｐｗの関係を調整することができる。
【００４２】
また、Ａ＜Ｂに設定してあるので、梃子の原理により、空圧シリンダ２０側に小さな荷重変化を与えることで、ホイールカッタ１５側に大きな荷重変化を与えることができる。また、空圧シリンダ２０側に大きな変位を与えることで、ホイールカッタ１５側に小さな変位を与えることができる。つまり、Ａ≧Ｂの場合よりも、ホイールカッタ１５の荷重調節の分解能を細かく設定することができるようになり、ホイールカッタ１５の荷重（ガラス板Ｇの表面に対する押し付け力）Ｐｗを容易に微調整することが可能になる。また、ホイールカッタ１５等の自重による影響を軽減できることから、ホイールカッタ１５がガラス板Ｇの表面の微妙な凹凸を乗り越えるときの応答性が高まり、その点でもホイールカッタ１５の荷重Ｐｗの精度が上がる。
【００４３】
その結果、ガラス板Ｇに対する適正なカッタ荷重Ｐｗの調整代が広がり、スクライブ線を刻設するための最適な調整が簡単にできるようになって、切粉の発生の少ない安定したスクライブの刻設が可能となる。そのため、切粉のガラス板Ｇの表面への付着残留による不良品の発生並びに製品品質の低下を抑制することができようになる。
【００４４】
また、本実施形態では、加圧機構に空圧シリンダ２０を用い、空気圧によってホイールカッタ１５の荷重を設定するようにしているので、ガラス板Ｇの表面の微妙な凹凸を乗り越える際の急激な荷重変化を吸収しながら、カッタ荷重を適正範囲に自動調整することができる。従って、切粉の発生の少ない安定したスクライブの刻設が可能となる。
【００４５】
また、本実施形態では、空圧シリンダ２０を軸１８により回動自在に支持すると共に、空圧シリンダ２０のロッド２１の先端をアーム１３側に設けた連結ブラケット１６に回動自在に連結しているので、アーム１３の揺動に対し無理なく空圧シリンダ２０の姿勢を追従させることができ、空圧シリンダ２０によるカッタ荷重の制御の精度向上に寄与することができる。
【００４６】
また、本実施形態では、アーム１３を略水平に支持して上下方向に揺動自在とし、ホイールカッタ１５をアーム１３の長手方向の一端側に下向きに設け、空圧シリンダ２０を、ロッド２１を下向きにしてアーム１３の上側に設けたので、ガラス板Ｇをコンベア上で運
搬する従来のガラス切断設備にそのまま搭載することができて、大きな設備更新を必要としない。
【００４７】
また、本実施形態によれば、ＡとＢの比率を上述のように設定しているので、アーム１３による梃子の原理を最も効果的に利用することができる。例えば、Ｂ／Ａが１．１より下回ると、梃子の原理による利点がほとんど得られなくなり、Ｂ／Ａが５．０を上回ると、Ｂ／Ａが５．０を上回ると、アーム１３のサイズが大きくなり、空圧シリンダのサイズが大型化してしまい、実用性が薄れてしまう。なお、好ましくは、Ａ：Ｂ＝１．０：１．５〜３．５であるのがよい。
【００４８】
また、アーム１３の長さは５０ｍｍ〜５００ｍｍの範囲に設定するのが望ましく、そうすることで実用的な範囲でスクライブ装置を容易に製作することができる。例えば、アーム１３の長さが５０ｍｍを下回ると、ホイールカッタ１５と空圧シリンダ２０を組み合わせて構成するスクライブ装置が小型化し過ぎてしまい、製造や補修が困難になってしまう。また、アーム１３の長さが５００ｍｍを上回ると、ホイールカッタ１５と空圧シリンダ２０を組み合わせて構成するスクライブ装置が大型化し過ぎてしまい、従来の設備に搭載することが困難になり、新たな装置を設置するなどのコストや労力が必要になってしまう。なお、アーム１３のより最適な長さは１００ｍｍ〜３００ｍｍである。
【００４９】
なお、本案では、切粉発生の抑制に最も適していることから、カッタとしてホイールカッタ１５を用いているが、ダイヤモンドポイントガラスカッタのほか、あらゆるタイプのカッタが適用可能である。
【００５０】
図５は、従来式のスクライブ装置と本発明のスクライブ装置によるスクライブ線の加工性能の違いについて実験した結果を示している。ここで用いた従来式のスクライブ装置は、空圧シリンダがホイールカッタの真上にあり、ダイレクトに空圧力をカッタ荷重として加えるものであり、本発明のスクライブ装置は、上述した実施形態のスクライブ装置である。
【００５１】
図５のグラフにおいて、横軸はカッタ荷重（ｇ）、縦軸はクラックの大きさ（μｍ）を示す。図中の４種類の特性線は、本発明のスクライブ装置による垂直クラック及び水平クラックの変化と、従来式のスクライブ装置による垂直クラック及び水平クラックの変化を示している。
【００５２】
従来式の場合、垂直クラックを大きくするために荷重を増加させると、８００ｇを過ぎた時点で水平クラックが大きくなり、垂直クラックは大きくならないのに、水平クラックだけが成長してしまい、荷重が１２００ｇ当たりで剥離を生じてしまう。従って、適正な切断条件範囲としては、８００ｇ〜１０００ｇの狭い範囲に限定される。
【００５３】
それに対し、本発明の実施形態によると、荷重が９００ｇを超えた当たりから垂直クラックが徐々に成長して、１０００ｇ当たりで成長は止まり、それ以降は１６００ｇまでそのままの状態が続く。また、水平クラックは、従来式と違い、ほとんど緩やかに成長して定常状態を続けるのみで、急激に成長する段階はない。従って、適正な切断条件範囲を１０００ｇ〜１５００ｇ当たりの広い範囲に設定できる。このように適正な荷重範囲が広くなることにより、荷重調整が容易になることで、切粉の発生を抑制することができる。
【００５４】
なお、本発明では、ホイールカッタ１５の上部に空圧シリンダ２０が存在しないので、ホールカッタ１５の上部にスプリング等の緩衝部材を設置し、ガラス板Ｇの表面の凹凸への対応性を向上させることもできる。
【００５５】
また、上記実施形態では、ガラス板Ｇが水平に配置されている場合で、アーム１３が略水平に配置され、カッタ１５や空圧シリンダ１３が垂直方向を向けて配置されている場合を説明したが、ガラス板が垂直に配置され、ガラス板とカッタが上下方向に相対移動する製造ラインにおいても、本発明は適用することができる。その場合は、カッタ及び空圧シリンダを水平方向に向けて配置することになる。
【図面の簡単な説明】
【００５６】
【図１】本発明の実施形態のスクライブ装置の側面図である。
【図２】その要部の原理図である。
【図３】図１のIII矢視図である。
【図４】図１のIＶ矢視図である。
【図５】従来式のスクライブ装置と本発明のスクライブ装置によるスクライブ線の加工性能の違いについて実験した結果を示すグラフである。
【符号の説明】
【００５７】
１０  スクライブ装置
１２  支点
１３  アーム
１３Ａ  一端側
１３Ｂ  他端側
１５  ホイールカッタ
１６  連結ブラケット（空圧シリンダがアームに力を加える点）
１８  軸
２０  空圧シリンダ（加圧機構）
２１  ロッド
２３  ピン
Ｇ  ガラス板（ワーク）
【図１】
0005121055.tif 000002
【図２】
0005121055.tif 000003
【図３】
0005121055.tif 000004
【図４】
0005121055.tif 000005
【図５】
0005121055.tif 000006